(57)【要約】【課題】  ロール軸方向の印圧のばらつきを抑制する。【解決手段】  ２つのロール押し付け機構７ａ，７ｂより両端側に付与する押付力によってブランケットロール５を所要の印圧で印刷用紙１２を介して下部ロール１０に接触させて印刷処理を行う印刷装置にて、ブランケットロール５のロール本体５ａとブランケット材５ｂとの間に、圧力分布検出センサシート１３を介装させて取り付ける。印刷処理中に、圧力分布検出センサシート１３で、ブランケットロール５と印刷用紙１２を介した下部ロール１０との接触面内のロール軸方向の圧力分布を計測し、そのロール軸方向の圧力分布のグラフの近似直線の傾きをゼロとするためにブランケットロール５の両端側に付与する押付力の補正量を求めて、２つのロール押し付け機構７ａ，７ｂよりブランケットロール５の両端側へ付与する押付力をリアルタイムに補正させる。【選択図】図１
2011037170.tif 000002
【特許請求の範囲】
【請求項１】
回転させる押付側印刷用ロールの両端側にロール押し付け機構よりそれぞれ押付力を付与し、この押付力により該押付側印刷用ロールを押付対象物に所要の印圧で接触させて印刷処理を行うときに、上記押付側印刷用ロールと押付対象物との接触面内における押付側印刷用ロールのロール軸方向の圧力分布を検出し、且つ該検出された接触面内におけるロール軸方向の圧力分布を示すグラフの近似直線の傾きをゼロとするための上記押付側印刷用ロールの両端側の押付力の補正量を求めて、該求められた補正量を基に上記ロール押し付け機構より該押付側印刷用ロールの両端側へ付与する押付力を補正することを特徴とする印刷装置の印圧補正方法。
【請求項２】
回転する押付側印刷用ロールを押付対象物に所要の印圧で接触させて印刷処理を行うときに、上記押付側印刷用ロールの外周部又は押付対象物の表面部に設けた圧力分布検出センサシートにより、該押付側印刷用ロールと押付対象物との接触面内における押付側印刷用ロールのロール軸方向の圧力分布を計測するようにする請求項１記載の印刷装置の印圧補正方法。
【請求項３】
押付側印刷用ロールと、該押付側印刷用ロールの両端側に押し付け力を個別に付与するロール押し付け機構と、押付対象物を備えて、上記各ロール押し付け機構より押付側印刷用ロールの両端側に付与する押付力により該押付側印刷用ロールを所要の印圧を作用させた状態で押付対象物に押し付けて印刷処理を行うようにしてある印刷装置における上記押付側印刷用ロールと押付対象物との接触面内における押付側印刷用ロールのロール軸方向の圧力分布を検出する手段と、該接触面内のロール軸方向の圧力分布を検出する手段の検出結果が入力されるデータ演算装置を備え、且つ該データ演算装置を、上記接触面内のロール軸方向の圧力分布を検出する手段により検出された上記押付側印刷用ロールと押付対象物との接触面内のロール軸方向の圧力分布を示すグラフの近似直線の傾きをゼロとするための上記押付側印刷用ロールの両端側の押付力の補正量を生成する機能を備えてなるものとし、更に、上記押付側印刷用ロールの両端側に押付力を付与する上記各ロール押し付け機構に上記データ演算装置で生成した押付力の補正量に基づいて押付力を補正させるための制御指令を与える制御装置を備えてなる構成を有することを特徴とする印刷装置の印圧補正装置。
【請求項４】
押付側印刷用ロールと押付対象物との接触面内における押付側印刷用ロールのロール軸方向の圧力分布を検出する手段を、上記押付側印刷用ロールの外周部又は押付対象物の表面部に設けた圧力分布検出センサシートとした請求項３記載の印刷装置の印圧補正装置。
【発明の詳細な説明】
【技術分野】
【０００１】
本発明は、印刷装置における圧胴、版胴、ブランケットロール等の印刷用ロールを、所要の押付対象物に所要の印圧で押し付けるように接触させて印刷処理を行う際に、上記押付側の印刷用ロールの上記押付対象物に対する接触面内での印圧のばらつきを抑えるように印圧を補正するために用いる印刷装置の印圧補正方法及び装置に関するものである。
【背景技術】
【０００２】
印刷装置の１つの形式としては、印刷用紙等の印刷対象の表面（印刷面）に、版面を直接接触させて印刷を行う形式のものがあり、このうち、輪転印刷機では、印刷用紙の如き印刷対象の印刷面側に位置する版胴と、非印刷面側に位置する圧胴とによって印刷対象を挟持した状態で、上記版胴と圧胴を共に回転させることで、上記版胴を上記印刷対象の印刷面に密着させて、該版胴に設けてある印刷パターンの上記印刷対象への印刷を実施するようにしてある。
【０００３】
上記輪転印刷機における印刷処理を実施する際、印刷精度を高めるためには、上記版胴を、上記印刷対象を介して圧胴に対し押し付けるように接触させるときの印圧を適切に制御することが重要である。すなわち、印圧分布に差が生じると、せん断力が発生し、このせん断力が印刷ずれの原因となることから、適切な印圧の制御が必要とされる。
【０００４】
又、印刷装置の別の形式のものとしては、版胴又は平板状の版の版面にブランケットロールを接触させて該版面よりブランケットロールの表面に一旦インクを転写（受理）し、次いで、上記ブランケットロールを、平板状の印刷対象、あるいは、該ブランケットロールと圧胴によって挟持した印刷用紙の如き印刷対象の印刷面に押し付けるように接触させることにより、該ブランケットロールの表面のインクを上記印刷対象の印刷面に再転写（印刷）して、印刷を実施するようにしたオフセット印刷装置がある。
【０００５】
かかるオフセット印刷装置においても、前記した輪転印刷機の場合と同様に、印圧分布の差によるせん断力の発生が印刷ずれの原因となることを防いで印刷精度を高めることができるようにするためには、上記ブランケットロールを上記版面に対し押し付けるように接触させて該版面からブランケットロールへの転写（受理）処理を行わせるときの印圧、及び、上記ブランケットロールを上記所要の印刷対象に対し押し付けるように接触させて該ブランケットロールから印刷対象への再転写（印刷）処理を行わせるときの印圧について、それぞれ適切に制御することが必要とされる。
【０００６】
図７は、従来の印刷装置における印圧の制御手法の一例として、グラビア輪転印刷機における印圧を制御する手法の概要を示すもので、回転可能に横置きした版胴ａの上側に、圧胴ｂを平行に配置し、該圧胴ｂの両端の軸を回転可能に支持する図示しない軸受を、図示しない印刷ユニットのフレームに上下方向に移動可能に保持させると共に、該各軸受の上側にエアシリンダｃをそれぞれ取り付けて、該各エアシリンダｃにより、上記圧胴ｂを昇降駆動できるようにし、更に、上記版胴ａの両端の軸を回転自在に支持する図示しない軸受を、個別のロードセルｄを介してフレーム又はベースプレート等の印刷機械の固定部分ｅに支持させてなる構成としてある（たとえば、特許文献１参照）。
【０００７】
かかる構成によれば、上記各エアシリンダｃの伸長作動により押付側の印刷用ロールとなる上記圧胴ｂを下降させて、押付対象物となる上記版胴ａに対し印刷用紙（図示せず）を介在させた状態で上方から密着させると共に印圧を加えた状態として印刷処理を行う際には、上記圧胴ｂより作用する印圧によって下方へ押圧されることとなる上記版胴ａの両端の軸より、上記印圧の荷重が、上記図示しない軸受を介して上記各ロードセルｄにそれぞれ作用するようになる。よって、上記各ロードセルｄでそれぞれ検出される上記印圧の荷重の検出値を監視して、双方のロードセルｄで検出される印圧の荷重が均等となるように、上記圧胴ｂの両端の軸を図示しない軸受を介して下向きに付勢する上記各エアシリンダｃの作動を調整することで、上記印刷用ロールとしての圧胴ｂの外周面の下端部にロール軸方向に沿って形成される上記押付対象物としての版胴ａとの線状の接触面（密着面）について、該接触面内の印圧を、圧胴ｂのロール軸方向に均等化できるとされている。
【０００８】
ところで、近年、金属蒸着膜のエッチング等による微細加工に代えて、導電性ペーストを印刷インクとして用いた印刷技術、たとえば、凹版オフセット印刷技術を用いて基板上に液晶ディスプレイ等の電子回路を印刷して形成する手法が提案されてきている。
【０００９】
上記液晶ディスプレイ等の電子回路を基板に形成する場合は、電極となる線幅として、たとえば、１０μｍ程度と微細なものが要求されることがある。更に、基板上に複数の電子回路を重ね合わせて形成することがあり、この場合は版を代えて電子回路の重ね刷りを行うことになるが、印刷位置がずれると電子回路の全体構成が崩れてしまうことから、精度は対象によって多少異なるが、上記線幅を１０μｍ程度とするような精密な電子回路の場合には、重ね合わせずれを数μｍに抑えることが必要とされることもある。
【００１０】
そのため、上記基板上に電子回路を印刷により形成する場合は、紙等に文字や画像を印刷する通常のオフセット印刷に比して高い印刷精度が要求されることから、この場合は、非常に高精度の印圧の制御調整を行うことが必要になる。
【００１１】
なお、印刷装置にて、２つのロール間のロール圧を測定する手法として、上記２つのロール間に、ロール軸方向に直交する方向の印圧又はロール軸方向に平行な方向の印圧を感知できるセンサシートを通すことで、ロール圧の状態を計測するようにする手法は従来提案されている（たとえば、特許文献２、特許文献３参照）。
【００１２】
又、製紙に関連する機械のロール加圧部で用いるロール相互間の圧力分布を計測するための手法としては、ロール外周面に不均一に配置された圧力センサでリアルタイムにロール圧力を検出する手法が従来提案されている（たとえば、特許文献４参照）。
【００１３】
更に、薄いシート状で、且つ二次元の圧力分布を計測することが可能な圧力センサ（圧力検出装置）は従来開発されてきている（たとえば、特許文献５、特許文献６参照）。
【先行技術文献】
【特許文献】
【００１４】
【特許文献１】特開２００３−２０５６００号公報
【特許文献２】特開昭６０−１５５３４号公報
【特許文献３】特開昭６０−１５５３５号公報
【特許文献４】特許第３２３０８１７号公報
【特許文献５】特許第３９２８９７６号公報
【特許文献６】特許第３９９９７２９号公報
【発明の概要】
【発明が解決しようとする課題】
【００１５】
ところが、上記押付側の印刷用ロールとしての圧胴ｂの外周面は、製作精度等に起因して完全な円筒面とすることは難しく、該圧胴ｂの外周面には、軸心方向及び周方向に、回転中心からの回転半径寸法にゆらぎ（不均一性）が生じてしまうというのが実状である。
【００１６】
又、押付対象物としての版胴ａの表面である外周面にも、製作精度等に起因して、軸心方向及び周方向に、回転中心からの回転半径寸法にゆらぎ（不均一性）が生じてしまう。
【００１７】
そのために、上記印刷用ロールとしての圧胴ｂの外周面の下端部にロール軸方向に沿って形成される上記押付対象物としての版胴ａとの線状の接触面内では、印圧の分布に多少のばらつきが生じているというのが実状である。
【００１８】
更に、上記押付側の印刷用ロールとしての圧胴ｂより、上記押付対象物としての版胴ａに印圧を作用させるときには、上記圧胴ｂの両端の軸を図示しない軸受を介して下向きに付勢するようにしてあるため、この印圧の荷重により圧胴ｂに撓みが生じる虞もあり、この圧胴ｂの撓みによっても、該圧胴ｂの版胴ａとの線状の接触面内で、印圧のロール軸方向の分布にばらつきが生じる虞がある。
【００１９】
しかし、上記特許文献１に示された印圧の制御手法では、印圧の荷重の検出を、押付側の印刷用ロールとなる上記圧胴ｂや押付対象物となる上記版胴ａの両端の軸の部分に対応する２個所に設けた２つのロードセルｄのみで行うようにしてあるため、上記圧胴ｂの外周面の下端部にロール軸方向に沿って形成される上記版胴ａとの線状の接触面内で印圧の分布にばらつきが生じていても、その計測を行うことができない。したがって、たとえ、上記各ロードセルｄで検出される印圧の荷重が均等となるように上記圧胴ｂの両端側の図示しない軸受を下方へ押圧する各エアシリンダｃの作動力を調整しても、上記圧胴ｂと版胴ａとの線状の接触面内での印圧のロール軸方向の分布のばらつきは全く補正できていないというのが実状である。
【００２０】
なお、従来の紙等に文字や画像を印刷する一般的な印刷処理を行う際には、要求される印刷精度がそれほど高くなかったため、上記したような圧胴ｂと版胴ａの線状の接触面内における印圧のロール軸方向の分布に多少のばらつきが生じていたとしても、その印圧の分布のばらつきによる印刷精度への影響が特に問題となることはなかったため、更なる印圧の制御調整を図る手法は特に提案されていないというのが実状である。
【００２１】
これに対し、たとえば、前記した電子回路を印刷により形成する場合のように、線幅が１０μｍ程度の細線を印刷するような精密印刷を実施する際には、上記圧胴ｂにおける上記版胴ａとの接触面内に生じる印圧のロール軸方向の分布のばらつきによる印刷精度への影響も考慮する必要が生じる場合がある。
【００２２】
印刷用ロールを所要の押付対象物に所要の印圧で押し付けて印刷処理を行う場合であれば、印刷用ロールを版胴とし、押付対象物を圧胴や平板状の印刷対象物やブランケットロールとする場合、及び、印刷用ロールをブランケットロールとし、押付対象物を平板状の版や所要の印刷対象物とする場合等、印刷処理に用いる押付側の印刷用ロールとその押付対象物の種類に関わらず、上記印刷用ロールにおけるロール軸方向に沿って形成される押付対象物との線状の接触面内には、上記圧胴ｂにおける上記版胴ａとの接触面内と同様に、印圧のロール軸方向の分布にばらつきが生じてしまうと考えられる。
【００２３】
ところで、上記特許文献２、特許文献３に示された印刷装置の２つのロール間のロール圧を測定する手法によれば、上記２つのロール間のロール軸方向の圧力の分布を計測することは可能であるが、センサシートを２つのロール間に通す必要上、実際の印刷処理中には計測することができないという問題がある。
【００２４】
しかも、特許文献２、特許文献３には、上記印刷装置の２つのロール間の圧力分布の不均一性を補正するための具体的な手段は何ら示されていない。
【００２５】
上記特許文献４に示された手法によれば、製紙に関連する機械のロール加圧部で用いるロール相互間の圧力分布を、リアルタイムに計測することはできるが、圧力センサの配置の都合上、計測点が少ないという問題があり、したがって、特許文献４に示された手法を、そのまま印刷装置における押付側の印刷用ロールと押付対象物との接触面におけるロール軸方向の圧力分布の計測に適用しても、該接触面に生じるロール軸方向に不均一な圧力分布を精度よく検出することはできない。
【００２６】
しかも、特許文献４にも、ロール相互間のロール軸方向の圧力分布の不均一性を補正する具体的な手段は特に示されていない。
【００２７】
そこで、本発明は、印刷用ロールを所要の押付対象物に所要の印圧で押し付けて印刷処理を行う際に、上記押付側の印刷用ロールにおける上記押付対象物との間にロール軸方向に沿って線状に形成される接触面内での印圧のばらつきが生じる場合には、そのロール軸方向の印圧のばらつきを抑制するようにリアルタイムに印圧を補正することができ、よって、精密印刷を実施するのに有利なものとすることができる印刷装置の印圧補正方法及び装置を提供しようとするものである。
【課題を解決するための手段】
【００２８】
本発明は、上記課題を解決するために、請求項１に対応して、回転させる押付側印刷用ロールの両端側にロール押し付け機構よりそれぞれ押付力を付与し、この押付力により該押付側印刷用ロールを押付対象物に所要の印圧で接触させて印刷処理を行うときに、上記押付側印刷用ロールと押付対象物との接触面内における押付側印刷用ロールのロール軸方向の圧力分布を検出し、且つ該検出された接触面内におけるロール軸方向の圧力分布を示すグラフの近似直線の傾きをゼロとするための上記押付側印刷用ロールの両端側の押付力の補正量を求めて、該求められた補正量を基に上記ロール押し付け機構より該押付側印刷用ロールの両端側へ付与する押付力を補正する印刷装置の印圧補正方法とする。
【００２９】
更に、上記構成において、回転する押付側印刷用ロールを押付対象物に所要の印圧で接触させて印刷処理を行うときに、上記押付側印刷用ロールの外周部又は押付対象物の表面部に設けた圧力分布検出センサシートにより、該押付側印刷用ロールと押付対象物との接触面内における押付側印刷用ロールのロール軸方向の圧力分布を計測するようにする。
【００３０】
又、請求項３に対応して、押付側印刷用ロールと、該押付側印刷用ロールの両端側に押し付け力を個別に付与するロール押し付け機構と、押付対象物を備えて、上記各ロール押し付け機構より押付側印刷用ロールの両端側に付与する押付力により該押付側印刷用ロールを所要の印圧を作用させた状態で押付対象物に押し付けて印刷処理を行うようにしてある印刷装置における上記押付側印刷用ロールと押付対象物との接触面内における押付側印刷用ロールのロール軸方向の圧力分布を検出する手段と、該接触面内のロール軸方向の圧力分布を検出する手段の検出結果が入力されるデータ演算装置を備え、且つ該データ演算装置を、上記接触面内のロール軸方向の圧力分布を検出する手段により検出された上記押付側印刷用ロールと押付対象物との接触面内のロール軸方向の圧力分布を示すグラフの近似直線の傾きをゼロとするための上記押付側印刷用ロールの両端側の押付力の補正量を生成する機能を備えてなるものとし、更に、上記押付側印刷用ロールの両端側に押付力を付与する上記各ロール押し付け機構に上記データ演算装置で生成した押付力の補正量に基づいて押付力を補正させるための制御指令を与える制御装置を備えてなる構成を有する印刷装置の印圧補正装置とする。
【００３１】
更に、上記構成において、押付側印刷用ロールと押付対象物との接触面内における押付側印刷用ロールのロール軸方向の圧力分布を検出する手段を、上記押付側印刷用ロールの外周部又は押付対象物の表面部に設けた圧力分布検出センサシートとした構成とする。
【発明の効果】
【００３２】
本発明によれば、以下のような優れた効果を発揮する。 
（１）回転させる押付側印刷用ロールの両端側にロール押し付け機構よりそれぞれ押付力を付与し、この押付力により該押付側印刷用ロールを押付対象物に所要の印圧で接触させて印刷処理を行うときに、上記押付側印刷用ロールと押付対象物との接触面内における押付側印刷用ロールのロール軸方向の圧力分布を検出し、且つ該検出された接触面内におけるロール軸方向の圧力分布を示すグラフの近似直線の傾きをゼロとするための上記押付側印刷用ロールの両端側の押付力の補正量を求めて、該求められた補正量を基に上記ロール押し付け機構より該押付側印刷用ロールの両端側へ付与する押付力を補正する印刷装置の印圧補正方法及び装置としてあるので、回転する押付側印刷用ロールを押付対象物に所要の印圧で押し付けて印刷処理を実施する間、該押付側印刷用ロールと押付対象物との接触面内のロール軸方向の圧力分布を、該ロール軸方向の圧力分布のグラフの近似直線の傾きがゼロとなるようにリアルタイムに補正することができる。したがって、上記押付側印刷用ロールの外周面に製作精度等に起因して軸心方向及び周方向に回転中心からの回転半径寸法にゆらぎ（不均一性）が生じていたり、該押付側印刷用ロールに印刷処理時に作用させる印圧による撓みが生じたり、上記押付対象物の表面に製作精度等に起因して不均一性が生じていたとしても、上記押付側印刷用ロールと押付対象物との接触面内での印圧のばらつきを抑制することができる。 
（２）よって、電子回路を印刷により形成する場合のように、線幅が１０μｍ程度の細線を印刷するような精密印刷を実施するのに有利なものとすることが可能となる。 
（３）回転する押付側印刷用ロールを押付対象物に所要の印圧で接触させて印刷処理を行うときに、上記押付側印刷用ロールの外周部又は押付対象物の表面部に設けた圧力分布検出センサシートにより、該押付側印刷用ロールと押付対象物との接触面内における押付側印刷用ロールのロール軸方向の圧力分布を計測するようにすることにより、押付側印刷用ロールと押付対象物との接触面内における押付側印刷用ロールのロール軸方向の圧力分布を確実に且つ容易に計測できる。よって、上記（１）（２）の効果を有する本発明の印刷装置の印圧補正方法及び装置を容易に実現することが可能になる。
【図面の簡単な説明】
【００３３】
【図１】本発明の印刷装置の印圧補正方法及び装置の実施の一形態として、オフセット印刷装置に適用した例を示す概要図である。
【図２】図１の印刷装置の印圧補正装置におけるブランケットロールに設けた圧力分布検出センサシートの部分を拡大して示す切断側面図である。
【図３】図１の印圧補正方法及び装置を適用する印刷装置としてのオフセット印刷装置を示す概略正面図である。
【図４】図１の印圧補正装置におけるデータ演算装置で、印刷用ロールの両端側にジャッキより付与する押付力の補正量を求める手順を示すもので、（イ）はブランケットロールの下部ロールとのロール軸方向に沿う線状の接触面内におけるロール軸方向の圧力分布をグラフ化した図、（ロ）は（イ）のロール軸方向の圧力分布のグラフの近似直線の傾きをゼロとするための印刷用ロールの両端側の圧力値を求めた図である。
【図５】図１の印圧補正装置におけるデータ演算装置で生成する各ジャッキの押付力の補正値の例を示すもので、（イ）は一方のジャッキの押付力の補正値の時間変化を示す図、（ロ）は他方のジャッキの押付力の補正値の時間変化を示す図である。
【図６】本発明の実施の他の形態を示す概要図である。
【図７】従来の印刷装置における印圧の制御手法の一例として、グラビア輪転印刷機における印圧の制御手法の概要を示す図である。
【発明を実施するための形態】
【００３４】
以下、本発明を実施するための形態を図面を参照して説明する。
【００３５】
図１乃至図５（イ）（ロ）は本発明の印刷装置の印圧補正方法及び装置の実施の一形態として、たとえば、図３に示す如きオフセット印刷装置に適用する場合の例を示すもので、以下のようにしてある。
【００３６】
ここで、先ず、図３に示したオフセット印刷装置について概説すると、該オフセット印刷装置は、印刷装置の架台１上の所要個所に、上下方向に延びる左右一対のコラム３と、水平方向に延びて上記各コラム３の上端部同士を連結する梁部材４とからなる門型のフレーム２を設ける。
【００３７】
水平方向に延びる押付側印刷用ロールとしてのブランケットロール５を、その両端の回転軸（図示せず）を介してロール保持フレーム６に回転自在に保持させると共に、該ロール保持フレーム６を、上記門型フレーム２の内側の所要高さ位置に配置して、該門型フレーム２の各コラム３に図示しない上下方向のリニアガイド機構を介して上下方向移動可能に取り付ける。
【００３８】
更に、上記門型フレーム２の梁部材４において、上記ブランケットロール５の軸心方向両端部と対応するロール保持フレーム６の長手方向両端部の上方となる個所に、ロール押し付け機構としてのジャッキ７ａ，７ｂを、下向きにそれぞれ設置すると共に、該各ジャッキ７ａ，７ｂの作動ロッドの下端部を、上記ロール保持フレーム６の長手方向両端部の上側にそれぞれ連結する。
【００３９】
上記ロール保持フレーム６における左右方向の一端部には、ロール回転駆動機構としての駆動モータ８を取り付け、その出力側に、上記ロール保持フレーム６の左右方向の一端部に保持させた上記ブランケットロール５の一方の回転軸を連結する。上記ロール保持フレーム６における左右方向の他端部には、エンコーダ９を取り付けて、上記ロール保持フレーム６の左右方向の他端部に保持させた上記ブランケットロール５の他方の回転軸を接続する。これにより、上記駆動モータ８により上記ブランケットロール５を回転駆動できるようにすると共に、回転する該ブランケットロール５の周方向のある個所を基準とする角度姿勢を、上記エンコーダ９により計測できるようにする。
【００４０】
上記ブランケットロール５の直下位置には、押付対象物として、たとえば、圧胴の如き下部ロール１０を平行に配置して、その軸心方向両端部の回転軸（図示せず）を、上記架台１上に設けたブラケット１１に回転自在に支持させる。これにより、上記各ジャッキ７ａ，７ｂを収縮作動させた状態では、上記ロール保持フレーム６と一体に上記ブランケットロール５を、上記下部ロール１０より所要寸法上方に離反する位置まで上昇させることで、上記ブランケットロール５と上記下部ロール１０との間に通して配置する印刷対象としての印刷用紙１２を、上記ブランケットロール５より離反させることができるようにしてあり、よって、該印刷用紙１２に対する印刷処理を停止させることができるようにしてある。
【００４１】
一方、上記各ジャッキ７ａ，７ｂを伸長作動させると、上記ロール保持フレーム６と一体に上記ブランケットロール５を、上記下部ロール１０の上側に、上記印刷対象としての印刷用紙１２を介在させた状態で接する位置まで下降させることができるようにしてあり、この状態から、上記各ジャッキ７ａ，７ｂの伸長作動を更に行わせることで、該各ジャッキ７ａ，７ｂの伸長作動力により上記ロール保持フレーム６を介し上記ブランケットロール５に下向きの押し付け力を作用させ、該押し付け力により下向きに付勢される上記ブランケットロール５を、上記印刷用紙１２を介在させた状態で下部ロール１０へ押し付けて印圧を発生させることができるようにしてあり、よって、該印刷用紙１２に対する印刷処理を実施できるようにしてある。なお、図３では図示する便宜上、上記印刷用紙の厚みを拡大して示してある。
【００４２】
更に、図示してないが、オフセット印刷装置を構成する必要上、上記ブランケットロール５の外周の所要個所に、該ブランケットロール５に接触可能な版胴と、該版胴にインキングするためのインキング装置を備えてなる構成として、該インキング装置により印刷パターンに適正にインキングされた版胴が上記ブランケットロール５と接した状態で該ブランケットロール５の回転方向に沿って同期して回転することで、版胴の印刷パターンに充填されたインクを上記ブランケットロール５へ一旦転写（受理）し、しかる後、該ブランケットロール５より、上記したようにブランケットロール５と下部ロール１０との間に通す印刷対象としての印刷用紙１２に再転写（印刷する）ことで、上記版胴の印刷パターンを、印刷用紙にオフセット印刷することができるようにしてあるものとする。
【００４３】
上記構成としてあるオフセット印刷装置に適用する本発明の印圧補正装置は、図１及び図２に示す如き構成としてある。
【００４４】
すなわち、上記ブランケットロール５におけるロール本体５ａと、その表面に取り付けるブランケット材５ｂとの間に、圧力分布検出センサシート１３を介装して設ける。
【００４５】
更に、上記圧力分布検出センサシート１３の検出信号を数値化するためのデータ数値化装置１４と、該データ数値化装置１４より入力されるデータを基に各ジャッキ７ａ，７ｂの押付力について個別の補正値Δｆ１（Ｎ），Δｆ２（Ｎ）を生成するデータ演算装置１５と、該データ演算装置１５で生成される各補正値Δｆ１（Ｎ），Δｆ２（Ｎ）に基づいて、上記ブランケットロール５を下部ロール１０へ押し付けて印圧を作用させるためにブランケットロール５の両端側に押付力を付与するロール押し付け機構としての上記各ジャッキ７ａ，７ｂへそれぞれの押付力を補正するための制御指令１７ａ，１７ｂを与えるジャッキ制御装置１６とを備えた構成とする。なお、図１では、図示する便宜上、図３に示した架台１、門型フレーム２、ブランケットロール５を保持するロール保持フレーム６、及び、下部ロール１０を保持するブラケット１１の記載を省略してある。
【００４６】
詳述すると、上記圧力分布検出センサシート１３は、薄いシート状としてあり、ブランケットロール５のロール本体５ａの外周面に、外周側に配するブランケット材５ｂと積層した状態で取り付けるようにしてある。且つ該圧力分布検出センサシート１３は、上記ブランケットロール５のロール軸方向と周方向について二次元の圧力分布を計測できる形式の圧力センサとしてある。なお、圧力分布検出センサシート１３としては、上記したように二次元の圧力分布を計測できる形式のものを用いることが好ましいが、少なくとも上記ブランケットロール５のロール軸方向に沿う圧力分布が検出可能で、ブランケットロール５の外周面の下端部を印刷用紙１２を介して下部ロール１０に所要の印圧を作用させた状態で押し付けるようにして接触させるときに、ロール軸方向に沿って線状に形成される接触面内でのロール軸方向の圧力分布を検出できるようにしてあれば、いかなる形式の圧力分布検出センサシート１３を用いるようにしてもよい。これにより、上記ブランケットロール５が、その両端側に上記各ジャッキ７ａ，７ｂより付与される押付力により印刷用紙１２を介して下部ロール１０に所要の印圧で押し付けられるときには、該ブランケットロール５の外周面の下端部にロール軸方向に沿って線状に形成される上記印刷用紙１２を介した下部ロール１０との接触面内について、表面部に配された上記ブランケット材５ｂを径方向につぶすように作用する力（圧力）のロール軸方向の分布を、該ブランケット材５ｂの内側に設けた上記圧力分布検出センサシート１３で検出して出力できるようにしてある。
【００４７】
上記データ数値化装置１４は、上記ブランケットロール５を印刷用紙１２を介して下部ロール１０に所要の印圧を作用させた状態で押し付けるときに、上記圧力分布検出センサシート１３より上記ブランケットロール５の外周面の下端部に形成される印刷用紙１２を介した下部ロール１０との接触面内のロール軸方向の圧力分布の検出信号が入力されると、この検出信号を数値化（デジタルデータ化）して、データ演算装置１５に出力できるようにしてある。
【００４８】
上記データ演算装置１５は、上記データ数値化装置１４より、上記ブランケットロール５の外周面の下端部にロール軸方向に線状に形成される印刷用紙１２を介した下部ロール１０との接触面内のロール軸方向の圧力分布の検出信号が数値化された状態で入力されると、上記ブランケットロール５の印刷用紙１２を介した下部ロール１０との接触面内におけるロール軸方向の圧力分布を、図４（イ）に曲線Ａで示すようにグラフ化すると共に、該グラフ化されたロール軸方向の圧力分布を示す曲線Ａの近似直線Ｂを最小二乗法等により設定し、次いで、図４（ロ）に示すように、上記設定された近似直線Ｂの傾きがゼロとなるような左右両端の圧力値をそれぞれ求め、この近似直線Ｂの傾きをゼロとする操作の前後の左右両端の各圧力値の差（図４（ロ）におけるΔｐ１，Δｐ２）から、係数ｋをかけて、上記各ジャッキ７ａと７ｂの押付力の補正値Δｆ１（Δｆ１＝ｋ×Δｐ１）（Ｎ）とΔｆ２（Δｆ２＝ｋ×Δｐ２）（Ｎ）を個別に生成してジャッキ制御装置１６へ出力する機能を備えるようにしてあり、この各ジャッキ７ａと７ｂの押付力の補正値Δｆ１（Ｎ）とΔｆ２（Ｎ）を生成する処理を、所要の短い時間間隔、あるいは、上記ブランケットロール５の所要の回転角度ピッチごとに順次繰り返して行うようにしてある。図５（イ）（ロ）は、上記一方のジャッキ７ａの押付力の補正値Δｆ１（Ｎ）及び他方のジャッキ７ｂの押付力の補正値Δｆ２（Ｎ）の時間経過に伴う変化の例をそれぞれ示す図である。
【００４９】
上記ジャッキ制御装置１６は、印刷処理を行うために各ジャッキ７ａ，７ｂの伸長作動により上記ブランケットロール５を印刷用紙１２を介して下部ロール１０に押し付けるように接触させて印圧を発生させるときに、上記のようにしてデータ演算装置１５より上記各ジャッキ７ａと７ｂの押付力の補正値Δｆ１（Ｎ）とΔｆ２（Ｎ）が入力されると、この補正値Δｆ１（Ｎ）とΔｆ２（Ｎ）に基づいて、上記各ジャッキ７ａ，７ｂに対し、ブランケットロール５の両端側にそれぞれ作用させる押付力を補正する制御指令１７ａ，１７ｂを与えるようにしてある。
【００５０】
以上の構成としてある本発明の印刷装置の印圧補正装置を備えたオフセット印刷装置を使用する場合は、図示しないインキング装置によりインキングされた図示しない版胴より、印刷パターンに充填されたインクを、上記ブランケットロール５へ転写（受理）する。
【００５１】
次いで、上記ブランケットロール５を、駆動モータ８により回転させた状態で、該ブランケットロール５の両端側にそれぞれ対応する各ジャッキ７ａ，７ｂより付与される押付力により、印刷対象となる印刷用紙１２を介して下部ロール１０に所要の印圧で接触させると、上記ブランケットロール５より上記印刷用紙１２へのインクの再転写（印刷）が行われることで、上記図示しない版胴の印刷パターンが、上記印刷用紙１２にオフセット印刷されるようになる。
【００５２】
上記ブランケットロール５から印刷用紙への再転写（印刷）が行われるときには、上記圧力分布検出センサシート１３により、ブランケットロール５の外周面の下端部にロール軸方向に線状に形成される印刷用紙１２を介した下部ロール１０との接触面内におけるロール軸方向の圧力分布が連続的に検出され、この圧力分布検出センサシート１３による検出信号がデータ数値化装置を経て数値化された状態で入力されるデータ演算装置１５では、図４（イ）に示したように、上記接触面内におけるロール軸方向の圧力分布のグラフ化と、そのグラフの近似直線Ｂが求められ、更に、図４（ロ）に示すように、該近似直線Ｂの傾きをゼロにするための各ジャッキ７ａと７ｂより上記ブランケットロール５の両端側へ作用させる押付力の補正値Δｆ１（Ｎ）とΔｆ２（Ｎ）がそれぞれ生成されるようになる。
【００５３】
よって、ジャッキ制御装置１６に、上記データ演算装置１５で生成された各ジャッキ７ａと７ｂの押付力の補正値Δｆ１（Ｎ）とΔｆ２（Ｎ）が入力されると、該ジャッキ制御装置１６より、各ジャッキ７ａと７ｂに、上記補正値Δｆ１（Ｎ）とΔｆ２（Ｎ）に基づいて押付力を補正するよう制御指令１７ａ，１７ｂが与えられて、該各ジャッキ７ａと７ｂより上記ブランケットロール５の両端側へそれぞれ付与する押付力が補正されるようになることで、上記ブランケットロール５の外周面の下端部にロール軸方向に沿って線状に形成される上記印刷用紙１２を介した下部ロール１０との接触面内の圧力分布は、ロール軸方向の圧力分布のグラフの近似直線Ｂ（図４（イ）（ロ）参照）の傾きがゼロとなるように直ちに補正（制御）されるようになる。
【００５４】
このように、本発明の印刷装置の印圧補正方法及び装置によれば、ブランケットロール５の外周面に製作精度等に起因して軸心方向及び周方向に回転中心からの回転半径寸法にゆらぎ（不均一性）が生じていたり、ブランケットロール５に印刷処理時に作用させる印圧による撓みが生じたり、下部ロール１０の外周面に製作精度等に起因して軸心方向及び周方向に回転中心からの回転半径寸法にゆらぎ（不均一性）が生じていたとしても、上記ブランケットロール５を印刷対象としての印刷用紙１２を介し下部ロール１０に所要の印圧を作用させた状態で接触させるときに、該ブランケットロール５の外周面の下端部にロール軸方向に沿って線状に形成される上記印刷用紙１２を介した下部ロール１０との接触面内におけるロール軸方向の圧力分布のグラフの近似直線Ｂ（図４（イ）（ロ）参照）に傾きが生じると、直ちにその傾きがゼロとなるように各ジャッキ７ａ，７ｂよりブランケットロール５の両端側へ付与している押付力を補正することができるため、該接触面内での印圧のばらつきを抑制するように印圧をリアルタイムに補正することができる。
【００５５】
よって、上記輪転印刷機を、電子回路を印刷により形成する場合のように、線幅が１０μｍ程度の細線を印刷するような精密印刷を実施するのに有利なものとすることが可能となる。
【００５６】
上記実施の形態においては、印刷用ロールとしてのブランケットロール５と、該ブランケットロール５を所要の印圧を作用させた状態で印刷用紙１２を介して接触させる押付対象物として下部ロール１０との接触面内におけるロール軸方向の圧力分布を検出するための圧力分布検出センサシート１３を、上記ブランケットロール５におけるロール本体５ａとブランケット材５ｂとの間に介装させて設けるものとして示したが、上記ブランケットロール５と印刷用紙１２を介して接触させる下部ロール１０との接触面内のロール軸方向の圧力分布を検出できれば、下部ロール１０の外周面に上記圧力分布検出センサシート１３を取り付けるようにしてもよい。
【００５７】
又、本発明の印刷装置の印圧補正方法及び装置を、図６に示すように、ロール押し付け機構としてのジャッキ７ａ，７ｂ（図１参照）によりロール軸方向の両端側に押付力が付与される押付側の印刷用ロールとしての版胴１８を、印刷対象となる印刷用紙１２を介して押付対象物としての圧胴１９に所要の印圧を作用させた状態で接触させる形式の印刷装置に適用してもよい。この場合は、圧力分布検出センサシート１３を上記圧胴１９の外周面に取り付ける構成とすればよい。その他の構成は図１乃至図５（イ）（ロ）に示したものと同様であり、同一のものには同一の符号が付してある。
【００５８】
かかる構成によれば、上記版胴１８と印刷用紙１２を介して接触させる圧胴とのロール軸方向に沿って形成される接触面内におけるロール軸方向の圧力分布を、上記圧胴１９の外周面に取り付けた上記圧力分布検出センサシート１３により検出することができる。
【００５９】
よって、この場合にも、図１乃至図５の実施の形態と同様に、上記版胴１８と印刷用紙１２を介して接触させる上記圧胴１９との接触面内におけるロール軸方向の圧力分布のグラフの近似直線Ｂ（図４（イ）（ロ）参照）に傾きが生じると、直ちにその傾きがゼロとなるように各ジャッキ７ａ，７ｂより上記版胴の１８の両端側へ付与される押付力が補正されることで、該接触面内での印圧のばらつきを抑制するよう印圧をリアルタイムに補正できることから、図１乃至図５（イ）（ロ）の実施の形態と同様の効果を得ることができる。
【００６０】
なお、本発明は上記実施の形態のみに限定されるものではなく、押付側印刷用ロールと、該押付側印刷用ロールの両端側に押し付け力を個別に付与するロール押し付け機構と、押付対象物を備えて、上記各ロール押し付け機構より押付側印刷用ロールの両端側に付与する押付力により該押付側印刷用ロールを所要の印圧を作用させた状態で押付対象物に押し付けて印刷処理を行うようにしてある印刷装置であれば、押付側印刷用ロールを版胴として、その下方に配置した押付対象物となるブランケットロールに直接接触させる構成や、押付対象物として平板状の印刷対象に直接接触させる構成に適用してもよい。又、押付側印刷用ロールを圧胴として、その下方に配置した押付対象物となる版胴やブランケットロールに印刷用紙等の印刷対象を介して上方より接触させる構成に適用してもよい。更に、オフセット印刷装置にて、押付側印刷用ロールをブランケットロールとして、その下方に配置した押付対象物となる版胴に上方より直接接触させる場合、押付対象物となる平板状の版や印刷対象に上方より直接接触させる場合に適用してもよい。
【００６１】
更には、押付側印刷用ロールと、該押付側印刷用ロールを所要の印圧で押し付ける押付対象物との配置は必ずしも上下方向の配置でなくてもよい。
【００６２】
上記において、圧力分布検出センサシート１３は、版の表面以外であれば、押付側印刷用ロールと押付対象物のいずれに設けるようにしてもよい。
【００６３】
印刷対象は印刷用紙以外のものであってもよい。
【００６４】
上記押付側印刷用ロールと押付対象物との組み合わせや、印刷対象に応じて、印刷装置としては、図３に示した構成以外のいかなる形式としてあってもよい。
【００６５】
押付側印刷用ロールを所要の印圧で押付対象物に押し付けるために該押付側印刷用ロールの両端側に押付力を付与するロール押し付け機構としては、ジャッキ７ａ，７ｂ以外のいかなる形式のロール押し付け機構を採用してもよい。
【００６６】
又、ロール回転駆動機構としては、一例として、ブランケットロール５の軸に連結した駆動モータ８を示したが、押付側印刷用ロールを直接あるいは間接的に回転駆動できるようにしてあれば、いかなる形式のロール回転駆動機構を採用してもよい。
【００６７】
ロール保持フレーム６は、図３に示した以外の任意の構成のものを採用してもよい。
【００６８】
その他本発明の要旨を逸脱しない範囲内で種々変更を加え得ることは勿論である。
【符号の説明】
【００６９】
５  ブランケットロール（押付側印刷用ロール）
５ａ  ロール本体
５ｂ  ブランケット材
７ａ，７ｂ  ジャッキ（ロール押し付け機構）
１０  下部ロール（押付対象物）
１２  印刷用紙（印刷対象）
１３  圧力分布検出センサシート
１４  データ数値化装置
１５  データ演算装置
１６  ジャッキ制御装置（制御装置）
１７ａ，１７ｂ  制御指令
１８  版胴（押付側印刷用ロール）
１９  圧胴（押付対象物）
【図１】
2011037170.tif 000003
【図２】
2011037170.tif 000004
【図３】
2011037170.tif 000005
【図４】
2011037170.tif 000006
【図５】
2011037170.tif 000007
【図６】
2011037170.tif 000008
【図７】
2011037170.tif 000009